(57)【要約】【課題】  警棒を両手で握って暴漢と争っている時に、それを握ったままの状態で時間的な隙を与えず、しかも暴漢に気付かれずに噴出ボタンを押して、催涙スプレーを暴漢に向けて噴出してその暴力を弱化できるようにすることである。【解決手段】  円筒状基体１の内部に催涙スプレー３を収容して、その基体１の一端に蓋体２を螺合してそこを閉じ、該蓋体１の噴出孔２ａと、円筒状基体１の一端の開口部１ａに、その蓋体２の周り止め用窪み２ｃと支持穴２ｂに嵌合する前記催涙スプレー３の出口３ａとを互いに突合せて連通し、円筒状基体１の外周面１ｂの押ボタン４の内端面４ｂを前記催涙スプレー３の開閉弁３ａに対して突き当たる位置から、その位置と離間する位置に亘って角変位θ可能に設ける。【選択図】  図１
0003102100.tif 000002
【実用新案登録請求の範囲】
【請求項１】
筒状基杆の蓋体に催涙スプレーの出口側を嵌合し、その蓋体の噴出孔と前記催涙スプレーの出口を連通し、前記催涙スプレーを筒状基杆内に収容し、その筒状基杆の外周面に押ボタンの外端面を露出し、該押ボタンの内端面を前記筒状基杆内に於ける催涙スプレーの開閉弁に対して突き当たる位置から、その位置と離間する位置に亘って角変位可能に設けることを特徴とする保安用警棒。
【請求項２】
押ボタンの内端面を前記筒状基杆内に於ける催涙スプレーの開閉弁に対して突き当たる位置に変位する際、該押ボタンの位置と対向する噴出孔付き蓋体の外周位置に指標を表示することを特徴とする請求項１記載の保安用警棒。
【請求項３】
押ボタンを前記筒状基杆内に於ける催涙スプレーの開閉弁に対して突き当たる位置に角変位する際、該押ボタンを外周に露出して設ける筒状基杆と、それに螺合する噴出孔付き蓋体との間に角変位方向の間歇運動をするためのクリック装置を設けることを特徴とする請求項１又は２記載の保安用警棒。
【請求項４】
催涙スプレーを収容する筒状基杆の内部に筒状摺動杆を伸縮自在に嵌合し、該筒状基杆と筒状摺動杆の相互間にその伸縮位置を固定するための駐停装置を設けることを特徴とする請求項１乃至３のいずれか１項に記載の保安用警棒。
【考案の詳細な説明】
【技術分野】
【０００１】
この考案は警備員又は警察官等が暴漢等の暴力から身を守ったり或いはその暴力を制圧したりするために常時手軽に携帯し、必要に応じて暴漢等を瞬間的に素早く鎮圧する際に使用する保安用警棒に関するものである。
【背景技術】
【０００２】
従来、この種の保安用警棒として使用時は所定の長さを維持し、不使用時は携帯上便利にするため伸縮可能なものが存在している。(特許文献１参照)、
【特許文献１】特許第３２２４５９号公報
【０００３】
その警棒はそれを使用中、例えば両手で警棒の両端部を握って暴漢ともみ合っている時に、その暴漢の暴力を弱めるために催涙スプレーを使用する必要が生じた際、前記警棒を握っている一方の手を放して他方の手だけで警棒を握り、その一方の手で洋服のポケット等に保管している催涙スプレーをそのポケットから外に取り出し、その催涙スプレーを暴漢に向けて噴出ボタンを押して噴出しなければならない。
【０００４】
然しながら、その間は警棒を一方の手で握っているだけであるので、警棒を保持する力が低下し、また警棒から放した他方の手で催涙スプレーを上述の通り操作する間に一瞬の時間的な隙が生じ、その間に暴漢に攻撃される怖れがある。
【考案の開示】
【考案が解決しようとする課題】
【０００５】
この考案の目的は、警棒を両手で強力に握って暴漢ともみ合っている時に、その握ったままの状態で時間的な隙を与えず、しかも暴漢に気付かれずに噴出ボタンを押して、催涙スプレーを暴漢に向けて噴出してその暴力を弱化できるようにすることである。
【０００６】
他の目的は催涙スプレーを噴射する必要が生じた際、前記警棒を握っている一方の手をそこから放して他方の手だけで警棒を握り、警棒から放した他方の手で催涙スプレーを上述のように操作する間に一瞬の隙が生じ、その間に暴漢に攻撃される怖れがないようにすることである。
【課題を解決するための手段】
【０００７】
この考案の保安用警棒は筒状基杆の蓋体に催涙スプレーの出口側嵌合し差し換え自在に収容してその一端を噴出孔付き蓋体で閉じ、該蓋体の噴出孔と前記催涙スプレーの出口を互いに連通し、その催涙スプレーを前記筒状基杆内に収容し、該筒状基杆の外周面に押ボタンの外端面を露出して設け、その押ボタンの内端面を前記筒状基杆内における催涙スプレーの開閉弁に対して突き当たる位置から、その位置と離間する位置に亘っ角変位可能に設けるものである。
【０００８】
又この考案は前記押ボタンの内端面を前記筒状基体内に於ける催涙スプレーの開閉弁に対して突き当たる位置に変位する際、該押ボタンの位置と対向する噴出孔付き蓋体の外周位置に指標を設けるものである。
【０００９】
さらに、その押ボタンを前記筒状基杆内に於ける催涙スプレーの開閉弁に対して突き当たる位置に角変位する際、該押ボタンを外周に露出して設ける筒状基杆と、それに螺合する噴出孔付き蓋体との間に間歇運動をするためのクリック装置を設けるものである。
【００１０】
又更に前記の催涙スプレーを収容する筒状基杆の内部に筒状摺動杆を伸縮自在に嵌合し、該筒状基杆と筒状摺動杆の相互間にその伸縮位置を固定するための駐停装置を設けることである。
【考案の効果】
【００１１】
この考案は前述の通り筒状基杆の一端からその内部に催涙スプレーを収容してその一端を噴出孔付き蓋体で閉じ、該蓋体の噴出孔と前記催涙スプレーの出口を互いに突合せて連通し、前記筒状基杆の外周面に押ボタンの外端面を露出して設け、その押ボタンの内端面を前記筒状基体内に収容する催涙スプレーの開閉弁に対して突き当たる位置から、その位置と離間する位置に亘って角変位可能に設けるものである為に、暴漢と争う際は予めその押ボタンの内端面を催涙スプレーの開閉弁に対して突き当たる位置に角変位しておき、警棒を両手で握って暴漢と争っている時に、その握ったままの状態で前記筒状基杆の外周面に露出している押ボタンの外端面を押して、暴漢に気付かれずに催涙スプレーを暴漢の顔面に向けて噴出することができる。
【００１２】
このようにして暴漢に気付かれずに噴出ボタンを押すことができるので、一瞬の隙も与えずにその暴力を弱化することができ、その間に暴漢に攻撃される怖れをなくすることができる。
【００１３】
また、この考案はその押ボタンの内端面を前記筒状基杆内に収容する催涙スプレーの開閉弁に対して突き当たる位置から、その位置から離間する位置に亘って角変位可能に設けるものであるから、その位置から離間する位置に角変位しておく際は押しボタンを押しても催涙スプレーの開閉弁を押すことができないので、この保安用警棒を通常携帯する際はその離間する位置に角変位して置くことにより、意に反して催涙スプレーを噴出して周囲の者に危害を与えることを防止できる。
【考案を実施するための最良の形態】
【００１４】
図１乃至図５に示す如くこの考案の保安用警棒は外径が約３０ｍｍ位の筒状基杆1の蓋体２に催涙スプレー３の出口３ａ側を嵌合して、その筒状基杆１の一端の開口部１ａに蓋体２を螺合してそこを閉じ、蓋体２に周り止め用窪み２ｃを有する支持穴２ｂを形成し、その支持穴２ｂの先端の噴出孔２ａと前記催涙スプレー３の出口３ａとを互いに突合せて連通し、前記円筒状基杆１の外周面１ｂに押ボタン４の外端面４ａを露出して設け、その押ボタン４の内端面４ｂを前記円筒状基杆１内に収容する催涙スプレー３の開閉弁３ｂに対して突き当たる位置から、その位置と離間する位置に亘って角変位θ可能に設ける。
【００１５】
又この考案は前記押ボタン４の内端面４ｂを前記円筒状基杆１内に於ける催涙スプレー３の開閉弁３ｂに対して突き当たる位置に角変位θする際、該押ボタン４の位置と対向する蓋体２の外周位置に指標５を表示する。
【００１６】
さらに、その押ボタン４を前記円筒状基体１内に於ける催涙スプレー３の開閉弁３ａに対して突き当たる位置に角変位θする際、該押ボタン４を円筒状基体１の外周に露出して設けるその円筒状基杆１と、それに螺合する噴出孔付き蓋体２との間における角変位θを間歇的にするための凹欠部６ａと弾力的突出部６ｂとからなるクリック装置を設けるものである。
【００１７】
又更に図５に示すように前記の催涙スプレー３を収容する筒状基杆１の一端の開口部１ａからその内部に挿入して、筒状摺動杆７を筒状基体１に対して摺動自在に嵌合し、該筒状基杆１と筒状摺動杆７の相互間にその伸縮位置を固定するための、該筒状基杆１側に形成する係止孔１ｃと筒状摺動杆７側に構成するコイルばね７ｃ付き係止突起７ａ，７ｂとからなる駐停装置７ｄを設ける。
【００１８】
なおこの考案の保安用警棒を構成する際は、図５に示す如く筒状基杆１の一端の開口部１ａからその内部に向って円筒状摺動杆７の先端７ｅを矢印Ａ７方向にその外向き円環状突条７ｆが筒状基体１の内向き突条１ｆに突き当たるまで挿入して、その先端７ｅを筒状基体１の他端１ｅから外方に長く突出した状態で、円筒状摺動杆７の先端７ｅにゴム栓８を嵌合すると共に、筒状基体１の開口部１ａに催涙スプレーを嵌合した蓋体２を螺合し、さらに筒状基杆１と筒状摺動杆７を相対的に捻って、該筒状基杆１側の係止孔１ｃ，１ｄに筒状摺動杆７側の係止突起７ａ，７ｂをコイルばね７ｃの弾力で押し出して係止状態を固定するものである。
【００１９】
この考案の保安用警棒を携帯する際は該筒状基杆１側の係止孔１ｃに係止している筒状摺動杆７側の係止突起７ａ，７ｂの外端をコイルばね７ｃの弾力に抗して筒状摺動杆７内に没入して、該筒状基杆１と筒状摺動杆７の間の係止状態を開放して筒状摺動杆７を該筒状基杆１の内部に摺動して押し込め，警棒の全長を最短状態にする。
【００２０】
又反対に最短状態の警棒から最長の使用状態に伸張する際は図５に示す如く、該筒状基杆１内から筒状摺動杆７をその外向き円環状突条７ｆが筒状基体１の内向き突条１ｆに突き当たるまで外方に引き出し、その状態で筒状基杆１と円筒状摺動杆７を相対的に捻って、該筒状基杆１側の係止孔１ｃ，１ｄに筒状摺動杆７側の係止突起７ａ，７ｂをコイルばね７ｃの弾力で押し出して係止状態を固定する。
【００２１】
暴漢と争う際は予めその押ボタン４の内端面４ｂを催涙スプレー３の開閉弁３ａに対して突き当たる位置まで、図２のように鎖線で示した押ボタン４ｃの位置から角変位θしておき、本案の保安用警棒を握って暴漢と争っている時に、その握ったままの状態で前記筒状基杆１の外周面１ｂに露出している押ボタン４の外端面４ａを押すことにより、円筒状基杆１の内面に設ける板ばね８をその弾力に抗して鎖線８ａで示す板ばねの位置まで変形し、催涙スプレー３の開閉弁３ｂを開き、暴漢に気付かれずに催涙スプレー３を暴漢の顔面に向けて噴出し、暴漢の暴力を弱める。
【００２２】
この際上記押ボタン４は円筒状基杆１の内面に設ける板ばね８によって常時外向きに弾圧されているので、前記押ボタン４の外端面４ａを押す力を解放することによりことにより、催涙スプレー３の開閉弁３ａを閉じてその噴射を停止する。
【００２３】
又上記押ボタン４の内端面４ｂを催涙スプレー３の開閉弁３ａに対して突き当たる位置まで、図２のように鎖線で示した押ボタン４ｃの位置から角変位θするときは、催涙スプレー３を固定的に嵌合する蓋体２の周面に表示する指標５と前記押ボタン４が互いに対向する。
【００２４】
更にその押ボタン４を前記円筒状基杆１内に於ける催涙スプレー３の開閉弁３ａに対して突き当たる位置に角変位θする際、該押ボタン４を円筒状基杆１の外周に露出して設けるその円筒状基杆１と、それに螺合する噴出孔付き蓋体２との間に、その間における角変位θを間歇的にするための凹欠部６ａと弾力的突出部６ｂとからなるクリック装置６を設けることによって、前述のように蓋体２の周面に表示する指標５と前記押ボタン４が互いに対向するまでその状態を見ながら確認しなくても、クリック装置６のクリック音又はその響きでその状態を知ることができる。
【００２５】
この考案の実施の形態は上述の通りであるが、この考案はそれに限定されるものでなく、それを部分的に変更したり或いは付加して実施することも可能であり、例えば図５に示すものは前記の催涙スプレー３を収容する筒状基杆１の一端の開口部１ａから筒状摺動杆７を筒状基体１に対して摺動自在に嵌合しているが、その円筒状摺動杆７を筒状基杆１に対して摺動自在に嵌合せずに、多少携帯に不便になるが筒状基杆１だけで所定の長さに構成して、その中に催涙スプレー３を上述の実施態様と同様に収容するようにして実施することも可能である。
【図面の簡単な説明】
【００２６】
【図１】本発明の実施の形態を示す保安用警棒の要部の分解斜面図である。
【図２】図１のII−II線部の拡大断面図である。
【図３】図１の一部分の正面面図である。
【図４】図３の側面図である。
【図５】本考案の保安用警棒の分解図である。
【符号の説明】
【００２７】
１      円筒状基杆
２      蓋体
３      催涙スプレー
４      押ボタン
５      指標
６      クリック装置
７      円筒状摺動杆
８      板ばね
【図１】
0003102100.tif 000003
【図２】
0003102100.tif 000004
【図３】
0003102100.tif 000005
【図４】
0003102100.tif 000006
【図５】
0003102100.tif 000007